(57)【要約】      （修正有）【課題】街角から姿を消しつつあるくずかごに代わり、またごみの排出自体を抑制し地域、自治体の経済資源のこれまで以上の有効な活用を促進する目的として、個人で持ち歩くことが可能で、ファッション性が高く、誰にでも簡単に使用できる携帯くずかごを提供する。【解決手段】開口部８を有し、伸縮性のある正面素材１および背面素材２から成る外袋１０と、きめ細かな素材を使用する内袋３の二重袋構造を持ち、内袋３の底部から外まで伸びたストラップ４を引き出すことで内袋３が引き出されると同時に、一度に中身のごみを排出することができ、また卵型の形態により、外袋１０と内袋３の間に抵抗がもたらされ、不用意に内袋３が飛び出すことを防止する卵型の形状といった特徴を有する携帯くずかごである。【選択図】図４
2012101873.tif 000002
【特許請求の範囲】
【請求項１】
開口部を有しこの開口部を覆う蓋を備え、伸縮可能な素材で形成された外袋と、こ    の外袋内に収容でき、外袋とほぼ同一形状のごみを収容するための内袋を備え、一端    部が前記外袋の蓋を貫通して外袋外ま延在し、他端部が前記内袋の底部に固定された    ベルトを備えたことを特徴とする携帯くずかご。
【請求項２】
外袋と内袋が卵形形状を有していることを特徴とする請求項１記載の携帯くずかご。
【発明の詳細な説明】
【技術分野】
【０００１】
本発明は、昨今街中から姿を消しつつあるくずかごに対し、社会情勢などを鑑み、一個人にて持ち歩くことが可能で、利便性の高い携帯用くずかごに関する。          
【背景技術】
【０００２】
２００１年９月の同時多発テロ以降、ブラックボックス化した街中のくずかごは姿を消しつつあり、その数を減少させている。しかしながら、個人における日常生活はテロ以降もテロ以前と変わらず続けられている中で、急速に自主管理の社会へとなりつつある。
【０００３】
従来の携帯くずかごに類する製品技術は、使用されるケースが限定的であったり、日常使用するに当たっての製品仕様にさほど吟味がなかった。また社会情勢の点からも必ずしも必須のアイテムとは言い難かったために製品としての成熟機会を失っていたとも言える（例えば、特許文献１参照）。
【先行技術文献】
【特許文献】
【０００４】
【特許文献１】特開２００５−１１９８６７号  公報
【発明の概要】
【発明が解決しようとする課題】
【０００５】
以上のような経緯を踏まえながらも、消滅したくずかごが、今後再び街角に設置される可能性はきわめて低いと言わざるを得ない。なぜなら各地域企業、自治体などの活動予算から一度削られた項目が再度追加される可能性は希有と思われるからである。
【０００６】
次に、これまで未成熟であった製品自体の発展が不可欠であり、例えば特許文献１に示されたようなバッグ状のごみ箱がある。これは主としてレジャーでの使用場面が想定されているが、生ごみから不燃ごみを直接収納するバッグとしての素材の追求に疑問が生じる。ごみ自体に水分を含んだものなども考えられることから、バッグの内側に燃やすことのできるビニール袋などを別途入れて使用することになる可能性が高い。
【課題を解決するための手段】
【０００７】
上記のような従来技術の持つ弱点を補完し、なおかつ新たな特性を持たせた製品として本発明は携帯くずかごを提唱する。まず請求項１における発明は、開口部を有し、この開口部を覆う蓋を備え、伸縮可能な素材で形成された外袋とこの外袋内に収容でき、外袋とほぼ同一形状のごみを収容するための内袋を備え、一端部が前記外袋の蓋を貫通して、外袋外まで伸び他端部が前記内袋の底部に固定されたベルトを備えたことを特徴とする携帯くずかごである。また、外袋と内袋とが全体的に見て卵形形状に形成されている携帯くずかごである。
【発明の効果】
【０００８】
本発明による携帯くずかごは以上のような構成を成すため、次のような特徴や効果を提供する。まず、くずかごの素材は伸縮性に富んだ素材であるため中に投入されるごみが大きかったり、固いものである場合にも瞬時に適応する。またインナーとしての内袋は素材に目が細かく撥水性に優れたものを採用することで、水分を含んだものが投入された場合でも安心して収納が可能である。外まで伸びたストラップを使ってこの内袋を引き出すことで、中身のごみを一度に排出することが可能であるばかりでなく、ごみの除去を一目で確認ができるために、内袋にごみが残ることがなく、非常に高いごみの排出性を持ち、清潔である。
【０００９】
加えて、ストラップ先端にはフック等をかけることが可能な穴を設けておけば、鞄やその他の小物につけて持ち運ぶことができる仕組みとなっている。またストラップにをバッグのハンドルなどにつけて持ち運ぶことで、バッグの中などに入れても発見しやすいというメリットがある。卵型の外袋１０内に同形の内袋３が収納されていることで、狭い開口部８が抵抗となり、不用意に内袋３が引き出されることを防ぐ。また内袋３内にごみが入るほど同様に抵抗が生じるとともに、ごみの自重により内袋３が引き出されることを防ぐ構造である。
【００１０】
さらに使用する素材の伸縮性やそのやわらかさなどにより、バッグ内において他の持ち物を傷つけることがなく、また闇雲にバッグ内を手などであさっても怪我をしないよう、利用者にとって優しい造りである。
【００１１】
また、この携帯くずかごの普及により、地域自治体におけるごみの排出量を抑制する効果があるだけでなく、街路上のくずかごに対する管理面でのコストを抑えることができ、費用の有効活用の助力となれる可能性がある。
【００１２】
そして、この携帯くずかごは日常生活における様々な場面で使用することができ、時と場合を選ばず、使い捨てではなく継続して使用することが可能である。また。使用される布地の色を変えることで、簡単に複数のカラーバリエーションを展開することが可能で高いファッション性を持ち、これはマナーやエチケットといった、この携帯くずかごを所有するひとの人間性を表現するという意味にも合致する。
【００１３】
携帯くずかごの名目に沿い、本体上部にフタを貫通して外まで伸びたストラップにひも等を通した上でバッグ等の中へ入れ込むことで、屋外に携行していつでもどこでもごみを収集することができ、またバッグ等を変えた際にも同様の装着方法で付け替えることにより、１体のくずかこでその役割を担うことができる。
【図面の簡単な説明】
【００１４】
【図１】本発明の携帯くずかごを示す正面図である。
【図２】同携帯くずかごを示す右側面図である。
【図３】同携帯くずかごを示す正面素材を取り除いた状態を示す正面図である。
【図４】同携帯くずかごから内袋を引出した状態を示す斜視図である。
【発明を実施するための形態】
【００１５】
以下、本発明を図面を参照して詳細に説明する。
【００１６】
この発明による外袋１０は、正面素材１と背面素材２とから成り、背面素材２は外袋１０の、後述する開口部８を覆う蓋２ａが一体に形成されている袋体とし、かつ前記開口部８は、その近傍で外袋１０と縫合される内袋３の開口部ともなる。内袋３の円弧状の底部７には蓋２ａに設けられたストラップ用の穴９を貫通し、外部まで延長された布、皮、またはゴム素材で成るストラップ４が縫合され、その上端にはひも等を通すことが可能な穴５が設けられる。表面素材１の表面と蓋２ａの裏面に共に装着されたマグネット６，６で固定され、本発明の携帯くずかごを形成する。
【００１７】
次に、以上のような本発明の携帯くずかごの使用方法について説明する。ごみを収納する時は図３の状態で蓋２ａを開けると、開口部８が露出するので、開口部８からごみを収納する。このようにして内袋３にごみを収納が可能で、また内袋３内にたまったごみを排出する際には、ストラップ用の穴９よりストラップ４を蓋２ａの内側へ引き抜き、外袋１０の外側に向かって内袋３を引き出す。するとポケットを裏返すような要領で内袋３が引き出され、一度にごみを排出することができる。
（４）
【００１８】
本発明は以上のような携帯くずかごを構成し、屋外へ携行する際にはバッグ等に装着して携行されることを想定する。内袋３が納められた状態でストラップ４にある穴５にひも等を通し、鞄やバッグ等の取手やハンドルその他に繋がれることで携行される。宙づり状態での縦方向の引力に対しては、卵型の外袋１０内に同形の内袋３が収納されていることで、狭い開口部８が抵抗となり、不用意に内袋３が引き出されることを防ぐ。また内袋３内にごみが入るほど同様に抵抗が生じるとともに、ごみの自重により内袋３が引き出されることを防ぐ構造である。
【００１９】
本発明の携帯くずかごにおけるストラップ４は、布や合成皮革、またはゴムといった素材を想定しているが、これは耐久性や耐水性、加工性を解決した素材であればいずれであっても差し支えない。また蓋２ａを固定するマグネット６に関しても、その固定能力と加工性に優れた技術があればマグネット６以外の素材であっても差し支えはないものである。直接ごみが収納されることとなる内袋３の素材についてはきめ細かな布素材で、耐水性のあるものを想定している。尚、本発明の携帯くずかごは全体として縦約１５センチ、横約１０センチのものが邪魔になりにくいので、好適であるが、大きさはこれに限定されるものではない。
【００２０】
この発明における携帯くずかごは日常生活全般において、ごみが出た際に収納することを目的とするものであるが、例えば女性のアクセサリーや化粧品、または非常に小さな小物などの物品を収納するポーチなどとして用いいたり、その他一般的な荷物の収納にも適応可能である。
【００２１】
１    正面素材
２    背面素材
２ａ  蓋
３    内袋
４    ストラップ
５    穴
６    マグネット
７    円弧底部
８    開口部
９    ストラップ用の穴
１０  外袋
【図１】
2012101873.tif 000003
【図２】
2012101873.tif 000004
【図３】
2012101873.tif 000005
【図４】
2012101873.tif 000006